(57)【要約】    【課題】      通信プロトコルのデータタイプを何度も再定義することなく多くのパラメータの種別を自由に定義でき、かつ、ＳＮＭＰのデータ管理をそのまま利用することができ、また、開発価格を低減すること。    【解決手段】  本発明のクセスポイント制御装置１００は、アクセスポイント装置１０２、１０３にメッセージを送信してアクセスポイント装置１０２、１０３を制御するものにおいて、前記メッセージにおける通信プロトコルのデータタイプに独自搬送用エリアを設定する独自搬送用エリア設定手段と、前記独自搬送用エリアに挿入するパラメータとしてＭＩＢ（Management Information Base）のＯｂｊｅｃｔＩＤ（ＯＩＤ）を用い、かつ、前記パラメータの値としてＭＩＢのＯｂｊｅｃｔＩＤに対するＶａｌｕｅを用いる手段と、を具備する。  【選択図】      図１
2006025375.tif 000002
【特許請求の範囲】
【請求項１】
アクセスポイント装置にメッセージを送信して前記アクセスポイント装置を制御するアクセスポイント制御装置において、
前記メッセージにおける通信プロトコルのデータタイプに独自搬送用エリアを設定する独自搬送用エリア設定手段と、
前記独自搬送用エリアに挿入するパラメータとしてＭＩＢ（Management Information Base）のＯｂｊｅｃｔＩＤ（ＯＩＤ）を用い、かつ、前記パラメータの値としてＭＩＢのＯｂｊｅｃｔＩＤに対するＶａｌｕｅを用いる手段と、
を具備することを特徴とするアクセスポイント制御装置。
【請求項２】
アクセスポイント装置にメッセージを送信して前記アクセスポイント装置を制御するアクセスポイント制御方法において、
前記メッセージにおける通信プロトコルのデータタイプに独自搬送用エリアを設定する独自搬送用エリア設定ステップと、
前記独自搬送用エリアに挿入するパラメータとしてＭＩＢのＯｂｊｅｃｔＩＤ（ＯＩＤ）を用い、かつ、前記パラメータの値としてＭＩＢのＯｂｊｅｃｔＩＤに対するＶａｌｕｅを用いるステップと、
を具備することを特徴とするアクセスポイント制御方法。
【発明の詳細な説明】
【技術分野】
【０００１】
本発明は、アクセスポイント装置にメッセージを送信してアクセスポイント装置を制御するアクセスポイント制御装置及びアクセスポイント制御方法に関する。
【背景技術】
【０００２】
近年、無線ＬＡＮなどのアクセスポイント装置を、個々に管理するのではなく、１つのアクセスポイント制御装置で集中して管理するネットワークシステムが提案されている。このネットワークシステムは、管理者が個々のアクセスポイントに対して個別に設定を行うのではなくアクセスポイント制御装置に対して設定を行うだけで、その後には自動的にアクセスポイント制御装置がアクセスポイント装置を制御する。
【０００３】
このネットワークシステムは、アクセスポイント装置を単純なものにすることができるため安価になり、かつ、網管理者の管理負荷が軽減できるという効果がある。このアクセスポイント制御装置とアクセスポイント装置との間の制御プロトコルとして、ＬＷＡＰＰ（Light Weight Access Point Protocol）というものがある。
【０００４】
ＬＷＡＰＰは、アクセスポイント制御装置とアクセスポイント装置との間のメッセージで送るパラメータを、データタイプを分けることによって識別している。ＬＷＡＰＰにおいては、無線ＬＡＮ装置に必須のパラメータなどは定義されているが、独自パラメータなどは送信することが難しい。ＬＷＡＰＰにおいて、独自パラメータを運ぶには、ＬＷＡＰＰのデータタイプを新しく定義し、プロトコルとして再標準化を行わなければならないからである。
【０００５】
図１７は、非特許文献１に記載された従来のネットワークシステムを示す図である。この図１７は、ＬＷＡＰＰをイメージした例を示している（パケットフォーマットは概念を表したもので、厳密ではない。）。
【０００６】
図１７に示すように、従来のネットワークシステム１０は、アクセスポイント制御装置１１、複数のアクセスポイント装置１２、１３及び複数の通信端末装置１４、１５を具備している。アクセスポイント制御装置１１は、アクセスポイント装置１２、１３にメッセージを送信してアクセスポイント装置１２、１３を制御する。アクセスポイント装置１２、１３の各々は、通信端末装置１４、１５の各々と通信を行う。
【０００７】
アクセスポイント制御装置１１は、アクセスポイント装置１２、１３とEthernet（登録商標）通信を行う。アクセスポイント制御装置１１とアクセスポイント装置１２、１３との間の通信路(Ethernet（登録商標）)は、通信端末装置１４、１５から送られてきたユーザデータパケットと、アクセスポイント制御装置１１とアクセスポイント装置１２、１３との間のメッセージパケットとが通過する。
【０００８】
アクセスポイント制御装置１１がアクセスポイント装置１２に対して、「設定-1」のデータ（123）と、「設定-2」のデータ（456）を送る場合は、２種類のアクセスポイント設定メッセージが必要である。それぞれのメッセージは、メッセージ内のデータタイプが「１（Conf-1）」と「２（Conf-2）」と異なっている。これらのタイプの定義はＬＷＡＰＰのフレームワーク内で決められる。それぞれのタイプにマッピングされたパラメータ値をアクセスポイントが受け取ることにより、アクセスポイントの設定が行われる。
【０００９】
データタイプとして前記「１（Conf-1）」と「２（Conf-2）」が現在提案されている。以下、データタイプとして前記「１（Conf-1）」と「２（Conf-2）」が採用されたものとして説明をする。  
【非特許文献１】internet-draft「Light Weight Access Point Protocol (ＬＷＡＰＰ)」  http://www.ietf.org/internet-drafts/draft-ohara-capwap-ＬＷＡＰＰ-00.txt
【発明の開示】
【発明が解決しようとする課題】
【００１０】
しかしながら、アクセスポイント制御装置を具備している従来のネットワークシステムにおいては、設定パラメータを独自に追加したい場合には、そのパラメータに対するデータタイプをＬＷＡＰＰのフレームワーク内で再定義しなければならないため、プロトコルの再標準化が必要であるという問題がある。このため、従来のネットワークシステムにおいては、メーカ独自の設定項目を追加したくても、標準化の手順を踏まなければならず、かつ、それを標準化しても他のメーカは利用しないから、伝送プロトコルとしてのリソースの無駄遣いになる。
【００１１】
また、従来のネットワークシステムにおいては、ＳＮＭＰ（Simple Network Management Protocol）などで管理している設定パラメータを、ＬＷＡＰＰのメッセージに乗せるには、パラメータと送信メッセージのデータタイプとの変換機能の実装が必要であるため、開発価格が高くなるという問題がある。
【００１２】
本発明は、かかる点に鑑みてなされたものであり、通信プロトコルのデータタイプを何度も再定義することなく多くのパラメータの種別を自由に定義でき、かつ、ＳＮＭＰのデータ管理をそのまま利用することができ、また、開発価格を低減することができるアクセスポイント制御装置及びアクセスポイント制御方法を提供することを目的とする。
【課題を解決するための手段】
【００１３】
本発明の第１の特徴は、アクセスポイント装置にメッセージを送信して前記アクセスポイント装置を制御するアクセスポイント制御装置において、前記メッセージにおける通信プロトコルのデータタイプに独自搬送用エリアを設定する独自搬送用エリア設定手段と、前記独自搬送用エリアに挿入するパラメータとしてＭＩＢ（Management Information Base）のＯｂｊｅｃｔＩＤ（ＯＩＤ）を用い、かつ、前記パラメータの値としてＭＩＢのＯｂｊｅｃｔＩＤに対するＶａｌｕｅを用いる手段と、を具備する構成を採る。
【００１４】
本発明の第２の特徴は、アクセスポイント装置にメッセージを送信して前記アクセスポイント装置を制御するアクセスポイント制御方法において、前記メッセージにおける通信プロトコルのデータタイプに独自搬送用エリアを設定する独自搬送用エリア設定ステップと、前記独自搬送用エリアに挿入するパラメータとしてＭＩＢのＯｂｊｅｃｔＩＤ（ＯＩＤ）を用い、かつ、前記パラメータの値としてＭＩＢのＯｂｊｅｃｔＩＤに対するＶａｌｕｅを用いるステップと、を具備する構成を採る。
【発明の効果】
【００１５】
本発明によれば、独自のパラメータを追加定義しても通信プロトコルにおけるメッセージのデータタイプの数が増えないため、通信プロトコルのデータタイプを何度も再定義することなく多くのパラメータの種別を自由に定義でき、かつ、ＳＮＭＰのデータ管理をそのまま利用することができる。
【００１６】
また、このため、本発明によれば、パラメータと送信メッセージのデータタイプとの変換機能の実装が必要でないため、開発価格を低減することができる。
【発明を実施するための最良の形態】
【００１７】
次に、本発明の実施の形態について、図面を参照して詳細に説明する。
【００１８】
（実施の形態１）
図１は、本発明の実施の形態１に係るネットワークシステムの構成を示す図である。この図１は、ＬＷＡＰＰをイメージした例を示している（パケットフォーマットは概念を表したもので、厳密ではない。）。
【００１９】
図１に示すように、ネットワークシステム１００は、アクセスポイント制御装置１０１、複数のアクセスポイント装置１０２、１０３及び複数の通信端末装置１０４、１０５を具備している。アクセスポイント制御装置１０１は、アクセスポイント装置１０２、１０３にメッセージを送信してアクセスポイント装置１０２、１０３を制御する。アクセスポイント装置１０２、１０３の各々は、通信端末装置１０４、１０５の各々と通信を行う。
【００２０】
アクセスポイント制御装置１０１は、アクセスポイント装置１０２、１０３とEthernet（登録商標）通信を行う。アクセスポイント制御装置１０１とアクセスポイント装置１０２，１０３との間の通信路(Ethernet（登録商標）)は、通信端末装置１０４、１０５から送られてきたユーザデータパケットと、アクセスポイント制御装置１０１とアクセスポイント装置１０２、１０３との間のメッセージパケットとが通過する。
【００２１】
アクセスポイント制御装置１０１がアクセスポイント装置１０２に対して、「設定-1」のデータ（123）と、「設定-2」のデータ（456）を送る場合は、２種類のアクセスポイント設定メッセージが必要である。それぞれのメッセージは、メッセージのデータタイプが「１（Conf-1）」と「２（Conf-2）」と異なっている。これらのタイプの定義はＬＷＡＰＰのフレームワークないで決められる。それぞれのタイプにマッピングされたパラメータ値をアクセスポイントが受け取ることにより、アクセスポイントの設定が行われる。
【００２２】
データタイプとして前記「１（Conf-1）」と前記「２（Conf-2）」が現在提案されている。以下、データタイプとして前記「１（Conf-1）」と前記「２（Conf-2）」が採用されたものとして説明をする。
【００２３】
さらに、本発明の実施の形態１に係るネットワークシステム１００においては、アクセスポイント制御装置１０１が、メッセージのデータタイプとして「３（Conf-3）」（独自搬送用エリア）を設定し、この「３（Conf-3）」に挿入するパラメータとしてＭＩＢ（Management Information Base）のＯｂｊｅｃｔＩＤ（ＯＩＤ）を用い、かつ、前記パラメータの値としてＭＩＢのＯｂｊｅｃｔＩＤに対するＶａｌｕｅを用いる。
【００２４】
次に、本発明の実施の形態１に係るネットワークシステム１００の具体例について、図面を参照して詳細に説明する。図２は、本発明の実施の形態１に係るネットワークシステム１００の構成を示す他の図である。
【００２５】
図２に示すように、アクセスポイント制御装置１０１は、ネットワーク管理装置２００によりＳＮＭＰを使って管理されている。アクセスポイント制御装置１０１は、ＳＮＭＰのＭＩＢを使って設定データなどを管理している。
【００２６】
アクセスポイント装置１０２、１０３は、アクセスポイント制御装置１０１が保持しているＭＩＢのうち、自分に必要なＭＩＢを保持している。その部分のＭＩＢのツリー構造は、アクセスポイント制御装置１０１とアクセスポイント装置１０２、１０３とで共通である。
【００２７】
アクセスポイント制御装置１０１からアクセスポイント装置１０２へ設定データを渡す処理手順を以下に示す。
【００２８】
（１）アクセスポイント制御装置１０１は、アクセスポイント装置１０２に対してデータを渡す判断を行う。（２）アクセスポイント制御装置１０１は、アクセスポイント装置１０２に渡すデータをＭＩＢからＯＩＤとＶａｌｕｅの組で抽出する。（３）アクセスポイント制御装置１０１は、抽出したＯＩＤとＶａｌｕｅの値を、アクセスポイント設定メッセージに格納してアクセスポイント装置１０２へ送信する。
【００２９】
次に、アクセスポイント装置１０２は、受信した設定メッセージから設定データ（ＯＩＤとＶａｌｕｅの値）を抽出して、アクセスポイント装置１０２が保持するＭＩＢに設定する。
【００３０】
アクセスポイント装置１０２からアクセスポイント制御装置１０１に対して設定データを渡す処理手順は、アクセスポイント制御装置１０１からアクセスポイント装置１０２に設定する手順と同じである。
【００３１】
図３は、本発明の実施の形態１に係るネットワークシステム１００において用いられる設定メッセージのフレームフォーマットの１例を示す図である。このフレームフォーマットの１例においては、Ｄａｔａ  Ｔｙｐｅ＝３（ＭＩＢ−ｏｂｊ）が定義され、かつ、ＭＩＢ−ＯＩＤ＝１．２．３．４．１０が設定されている。
【００３２】
次に、本発明の実施の形態１に係るアクセスポイント制御装置１０１について、より詳細に説明する。図４は、本発明の実施の形態１に係るアクセスポイント制御装置１０１の構成を詳細に示すブロック図である。
【００３３】
図４に示すように、アクセスポイント制御装置１０１は、アクセスポイント制御判定部１０１１、アクセスポイント制御パケット作成部１０１２、パケット送信部１０１３、パケット受信部１０１４、アクセスポイント制御パケット抽出部１０１５及びアクセスポイント制御パケット処理部１０１６を具備している。
【００３４】
アクセスポイント制御判定部１０１１及びアクセスポイント制御パケット処理部１０１６は、ネットワーク管理装置２００との間で装置管理データを送受信する。装置管理データは、アクセスポイント制御装置１０１及びアクセスポイント装置１０２の管理データを格納している。装置管理データは、ＳＮＭＰのＭＩＢ形式のものである。
【００３５】
アクセスポイント制御判定部１０１１は、装置管理データに基づいて、アクセスポイント装置１０２に設定データを送信するか判断し、送信する場合にはデータの導出を行う。アクセスポイント制御パケット作成部１０１２は、アクセスポイント制御判定部１０１１からの設定データの情報をアクセスポイント設定メッセージの一部に埋め込み、送信パケットを作成する。パケット送信部１０１３は、アクセスポイント制御パケット作成部１０１２からの送信パケットを通信インタフェースに送信する。
【００３６】
一方、パケット受信部１０１４は、通信インタフェースからのパケットを受信して受信パケットを生成する。アクセスポイント制御パケット抽出部１０１５は、パケット受信部１０１４からの受信パケットのヘッダ解析を行って、アクセスポイント設定メッセージであるか判定する。アクセスポイント制御パケット抽出部１０１５は、パケット受信部１０１４からの受信パケットがアクセスポイント設定メッセージである場合にはこのアクセスポイント設定メッセージをアクセスポイント制御パケット処理部１０１６に与える。アクセスポイント制御パケット処理部１０１６は、アクセスポイント制御パケット抽出部１０１５からのアクセスポイント設定メッセージのペイロードを解析し、設定データを抽出してＭＩＢに設定する。
【００３７】
アクセスポイント制御装置１０１で用いられる前記装置管理データの１例が図５に示されている。図５に示すように、この装置管理データは、Ｏｂｊｅｃｔ  Ｇｒｏｕｐ、Ｏｂｊｅｃｔ  Ｎａｍｅ、Ｏｂｊｅｃｔ  ＩＤ（ＯＩＤ）及びＶａｌｕｅの情報を有している。
【００３８】
次に、本発明の実施の形態１に係るアクセスポイント装置１０２について、より詳細に説明する。図６は、本発明の実施の形態１に係るアクセスポイント装置１０２の構成を詳細に示すブロック図である。
【００３９】
図６に示すように、アクセスポイント装置１０２は、アクセスポイント制御判定部１０２１、アクセスポイント制御パケット作成部１０２２、パケット送信部１０２３、パケット受信部１０２４、アクセスポイント制御パケット抽出部１０２５及びアクセスポイント制御パケット処理部１０２６を具備している。アクセスポイント装置１０３は、アクセスポイント装置１０２と同じ構成である。
【００４０】
装置管理データは、アクセスポイント装置１０２の管理データを格納している。装置管理データは、ＳＮＭＰのＭＩＢ形式のものである。
【００４１】
アクセスポイント制御判定部１０２１は、装置管理データ（ＭＩＢ）に基づいて、アクセスポイント制御装置１０１に設定データを送信するか判断し、送信する場合にはデータの導出を行う。アクセスポイント制御パケット作成部１０２２は、アクセスポイント制御判定部１０２１からの設定データの情報をアクセスポイント設定メッセージの一部に埋め込み、送信パケットを作成する。パケット送信部１０２３は、アクセスポイント制御パケット作成部１０２２からの送信パケットを通信インタフェースにパケットを送信する。
【００４２】
一方、パケット受信部１０２４は、通信インタフェースからのパケットを受信して受信パケットを生成する。アクセスポイント制御パケット抽出部１０２５は、パケット受信部１０２４からの受信パケットのヘッダ解析を行って、アクセスポイント設定メッセージであるか判定する。アクセスポイント制御パケット抽出部１０２５は、パケット受信部１０２４からの受信パケットがアクセスポイント設定メッセージである場合にはこのアクセスポイント設定メッセージをアクセスポイント制御パケット処理部１０２６に与える。アクセスポイント制御パケット処理部１０２６は、アクセスポイント制御パケット抽出部１０２５からのアクセスポイント設定メッセージのペイロードを解析し、設定データを抽出してＭＩＢに設定する。
【００４３】
アクセスポイント装置１０２で用いられる前記装置管理データの１例が図７に示されている。図７に示すように、この装置管理データは、Ｏｂｊｅｃｔ  Ｇｒｏｕｐ、Ｏｂｊｅｃｔ  Ｎａｍｅ、Ｏｂｊｅｃｔ  ＩＤ（ＯＩＤ）及びＶａｌｕｅの情報を有している。
【００４４】
次に、本発明の実施の形態１に係るネットワークシステム１００の動作の具体例について、図面を参照して詳細に説明する。
【００４５】
図８は、ネットワークシステム１００のアクセスポイント制御装置１０１におけるアクセスポイント装置（ＡＰ）１０２のＥＳＳＩＤを設定する場合の処理を示すフロー図である。
【００４６】
図８に示すように、ステップＳＴ８０１において、アクセスポイント制御判定部１０１１は、装置管理データに基づいて、アクセスポイント装置１０２に設定メッセージを送信するかを判断する。ステップＳＴ８０１において設定メッセージを送信する時には、アクセスポイント制御判定部１０１１は、設定メッセージのパラメータを導出する（ステップＳＴ８０２）。
【００４７】
次に、アクセスポイント制御判定部１０１１は、装置管理データを検索して設定パラメータのＯＩＤとＭＩＢ値を導出する（ステップＳＴ８０３）。次に、アクセスポイント制御パケット作成部１０１２は、アクセスポイント制御判定部１０１１からのＯＩＤとＭＩＢ値を含んだアクセスポイント設定メッセージを作成する（ステップＳＴ８０４）。次に、パケット送信部１０１３は、アクセスポイント制御パケット作成部１０１２からのアクセスポイント設定メッセージを通信インタフェースにパケットを送信する（ステップＳＴ８０５）。
【００４８】
図９は、本発明の実施の形態１に係るネットワークシステム１００のアクセスポイント制御装置１０１におけるアクセスポイント装置（ＡＰ）１０２のカウンタ情報を設定する場合の処理を示すフロー図である。
【００４９】
図９に示すように、ステップＳＴ９０１において、パケット受信部１０１４は、アクセスポイント装置１０２からのパケットを受信したかを判断する。ステップＳＴ９０１においてアクセスポイント装置１０２からのパケットを受信した時に、アクセスポイント制御パケット抽出部１０１５は、パケット受信部１０１４からのパケットのＥｔｈｅｒＴｙｐｅを解析し、ＥｔｈｅｒＴｙｐｅが「ＡＰ  Ｃｏｎｔｒｏｌ」であれば、アクセスポイント制御パケット処理部１０１６にパケットを渡す（ステップＳＴ９０２）。
【００５０】
次に、アクセスポイント制御パケット処理部１０１６は、アクセスポイント制御パケットがＭＩＢ−ｏｂｊを使った設定メッセージであるかを解析する（ステップＳＴ９０３）。次に、アクセスポイント制御パケット処理部１０１６は、設定メッセージのエレメントを解析し、エレメントからＯＩＤとＭＩＢ値を抽出する（ステップＳＴ９０４）。
【００５１】
次に、アクセスポイント制御パケット処理部１０１６は、エレメントから抽出したＯＩＤとＭＩＢ値をキーに、装置管理データを検索し、該当するＯＩＤのＶａｌｕｅにエレメントから抽出したＯｂｊｅｃｔ  Ｖａｌｕｅの値を書き込む（ステップＳＴ９０５）。
【００５２】
図１０は、本発明の実施の形態１に係るネットワークシステム１００のアクセスポイント装置１０２のカウンタ情報を設定する場合の処理を示すフロー図である。
【００５３】
図１０に示すように、ステップＳＴ１００１において、アクセスポイント制御判定部１０２１は、装置管理データに基づいて、アクセスポイント制御装置１０１に設定メッセージを送信するかを判断する。ステップＳＴ１００１において設定メッセージを送信する時には、アクセスポイント制御判定部１０２１は、設定メッセージのパラメータを導出する（ステップＳＴ１００２）。
【００５４】
次に、アクセスポイント制御判定部１０２１は、装置管理データを検索して設定パラメータのＯＩＤとＭＩＢ値を導出する（ステップＳＴ１００３）。次に、アクセスポイント制御パケット作成部１０２２は、アクセスポイント制御判定部１０２１からのＯＩＤとＭＩＢ値を含んだアクセスポイント設定メッセージを作成する（ステップＳＴ１００４）。次に、パケット送信部１０２３は、アクセスポイント制御パケット作成部１０２２からのアクセスポイント設定メッセージを通信インタフェースにパケットを送信する（ステップＳＴ１００５）。
【００５５】
図１１は、本発明の実施の形態１に係るネットワークシステム１００のアクセスポイント装置１０２のＥＳＳＩＤを設定する場合の処理を示すフロー図である。
【００５６】
図１１に示すように、ステップＳＴ１１０１において、パケット受信部１０２４は、アクセスポイント制御装置１０１からのパケットを受信したかを判断する。ステップＳＴ１１０１においてアクセスポイント制御装置１０１からのパケットを受信した時に、アクセスポイント制御パケット抽出部１０２５は、パケット受信部１０２４からのパケットのＥｔｈｅｒＴｙｐｅを解析し、ＥｔｈｅｒＴｙｐｅが「ＡＰ  Ｃｏｎｔｒｏｌ」であれば、アクセスポイント制御パケット処理部１０２６にパケットを渡す（ステップＳＴ１１０２）。
【００５７】
次に、アクセスポイント制御パケット処理部１０２６は、アクセスポイント制御パケットがＭＩＢ−ｏｂｊを使った設定メッセージであるかを解析する（ステップＳＴ１１０３）。次に、アクセスポイント制御パケット処理部１０２６は、設定メッセージのエレメントを解析し、エレメントからＯＩＤとＭＩＢ値を抽出する（ステップＳＴ１１０４）。
【００５８】
次に、アクセスポイント制御パケット処理部１０２６は、エレメントから抽出したＯＩＤとＭＩＢ値をキーに、装置管理データを検索し、該当するＯＩＤのＶａｌｕｅにエレメントから抽出したＯｂｊｅｃｔ  Ｖａｌｕｅの値を書き込む（ステップＳＴ１１０５）。
【００５９】
このように、本発明の実施の形態１においては、独自のパラメータを追加定義しても通信プロトコルにおけるメッセージのデータタイプの数が増えないため、通信プロトコルのデータタイプを何度も再定義することなく多くのパラメータの種別を自由に定義でき、かつ、ＳＮＭＰのデータ管理をそのまま利用することができ、また、開発価格を低減することができる。
【００６０】
（実施の形態２）
次に、本発明の実施の形態２について、図面を参照して詳細に説明する。図１２は、本発明の実施の形態２に係るネットワークシステムの構成を示す図である。本発明の実施の形態２においては、本発明の実施の形態１と同じ構成要素には同じ参照符号が付されてその説明が省略される。
【００６１】
図１２に示すように、ネットワークシステム１１００は、アクセスポイント制御装置１１０１、複数のアクセスポイント装置１１０２及び複数の通信端末装置（図示せず）を具備している。アクセスポイント制御装置１１０１は、アクセスポイント装置１１０２にメッセージを送信してアクセスポイント装置１１０２を制御する。アクセスポイント装置１１０２は、通信端末装置１０４、１０５の各々と通信を行う。アクセスポイント制御装置１１０１は、ネットワーク管理装置２００によりＳＮＭＰを使って管理されている。
【００６２】
本発明の実施の形態２に係るネットワークシステム１１００が本発明の実施の形態１に係るネットワークシステム１００と異なる構成は、アクセスポイント制御装置１１０１及び複数のアクセスポイント装置１１０２の各々がＭＩＢ−ＯＩＤの共通部分データを予め保持していることである。ここで、ＭＩＢ−ＯＩＤの共通部分データとは、アクセスポイント制御装置１１０１とアクセスポイント装置１１０２の間のメッセージに含まれるＭＩＢ−ＯＩＤのうちのどのメッセージにも共通についている部分（ＯＩＤ）一部のことである。
【００６３】
したがって、本発明の実施の形態２に係るネットワークシステム１１００における設定メッセージのエリアには、設定データの種別によって異なる部分のＯＩＤのみが格納されている。
【００６４】
このため、アクセスポイント制御装置１１０１及び複数のアクセスポイント装置１１０２の各々の送信部は、設定メッセージにＯＩＤを埋め込む前にＯＩＤに共通部分を削除している。また、アクセスポイント制御装置１１０１及び複数のアクセスポイント装置１１０２の各々の受信部は、設定メッセージからＯＩＤを抽出した後にＯＩＤの共通部分を結合している。
【００６５】
図１３は、本発明の実施の形態２に係るネットワークシステム１１００のアクセスポイント制御装置１１０１の構成を詳細に示すブロック図である。
【００６６】
図１３に示すように、アクセスポイント制御装置１１０１は、アクセスポイント制御判定部１０１１、アクセスポイント制御パケット作成部１３０１、パケット送信部１０１３、パケット受信部１０１４、アクセスポイント制御パケット抽出部１０１５及びアクセスポイント制御パケット処理部１３０２を具備している。
【００６７】
図１４は、本発明の実施の形態２に係るネットワークシステム１１００のアクセスポイント装置１１０２の構成を詳細に示すブロック図である。
【００６８】
図１４に示すように、アクセスポイント装置１１０２は、アクセスポイント制御判定部１０２１、アクセスポイント制御パケット作成部１４０１、パケット送信部１０２３、パケット受信部１０２４、アクセスポイント制御パケット抽出部１０２５及びアクセスポイント制御パケット処理部１４０２を具備している。
【００６９】
アクセスポイント制御パケット作成部１３０１、１４０１及びアクセスポイント制御パケット処理部１３０２、１４０２の動作が本発明の実施の形態１と異なる。
【００７０】
次に、本発明の実施の形態２に係るネットワークシステム１１００の動作の具体例について、図面を参照して詳細に説明する。
【００７１】
図１５は、本発明の実施の形態２に係るネットワークシステム１１００のアクセスポイント制御装置１１０１におけるアクセスポイント装置（ＡＰ）１１０２のＥＳＳＩＤを設定する場合の処理を示すフロー図である。
【００７２】
図１５に示すように、ステップＳＴ１５０１において、アクセスポイント制御判定部１０１１は、装置管理データに基づいて、アクセスポイント装置１０２に設定メッセージを送信するかを判断する。ステップＳＴ１５０１において設定メッセージを送信する時には、アクセスポイント制御判定部１０１１は、設定メッセージのパラメータを導出する（ステップＳＴ１５０２）。
【００７３】
次に、アクセスポイント制御判定部１０１１は、装置管理データを検索して設定パラメータのＯＩＤとＭＩＢ値を導出する（ステップＳＴ１５０３）。次に、アクセスポイント制御パケット作成部１３０１は、ＭＩＢ−ＯＩＤの共通データからＭＩＢ−ＯＩＤプレフィックスを取得する（ステップＳＴ１５０４）。次に、アクセスポイント制御パケット作成部１３０１は、設定パラメータのＯＩＤからＭＩＢ−ＯＩＤプレフィックスを削除する（ステップＳＴ１５０５）。
【００７４】
アクセスポイント制御パケット作成部１３０１は、アクセスポイント制御判定部１０１１からのＯＩＤとＭＩＢ値を含んだアクセスポイント設定メッセージを作成する（ステップＳＴ１５０６）。次に、パケット送信部１０１３は、アクセスポイント制御パケット作成部１３０１からのアクセスポイント設定メッセージを通信インタフェースにパケットを送信する（ステップＳＴ１５０７）。
【００７５】
図１６は、本発明の実施の形態２に係るネットワークシステム１１００のアクセスポイント装置１１０２のＥＳＳＩＤを設定する場合の処理を示すフロー図である。
【００７６】
図１６に示すように、ステップＳＴ１６０１において、パケット受信部１０２４は、アクセスポイント制御装置１０１からのパケットを受信したかを判断する。ステップＳＴ１６０１においてアクセスポイント制御装置１１０１からのパケットを受信した時に、アクセスポイント制御パケット抽出部１０２５は、パケット受信部１０２４からのパケットのＥｔｈｅｒＴｙｐｅを解析し、ＥｔｈｅｒＴｙｐｅが「ＡＰ  Ｃｏｎｔｒｏｌ」であれば、アクセスポイント制御パケット処理部１４０２にパケットを渡す（ステップＳＴ１６０２）。
【００７７】
次に、アクセスポイント制御パケット処理部１４０２は、アクセスポイント制御パケットがＭＩＢ−ｏｂｊを使った設定メッセージであるかを解析する（ステップＳＴ１６０３）。次に、アクセスポイント制御パケット処理部１４０２は、設定メッセージのエレメントを解析し、エレメントからＯＩＤとＭＩＢ値を抽出する（ステップＳＴ１６０４）。
【００７８】
次に、アクセスポイント制御パケット処理部１４０２は、ＭＩＢ−ＯＩＤの共通データからＭＩＢ−ＯＩＤプレフィックスを取得する（ステップＳＴ１６０５）。次に、アクセスポイント制御パケット処理部１４０２は、設定パラメータのＯＩＤからＭＩＢ−ＯＩＤプレフィックスを結合する（ステップＳＴ１６０６）。
【００７９】
次に、アクセスポイント制御パケット処理部１４０２は、エレメントから抽出したＯＩＤとＭＩＢ値をキーに、装置管理データを検索し、該当するＯＩＤのＶａｌｕｅにエレメントから抽出したＯｂｊｅｃｔ  Ｖａｌｕｅの値を書き込む（ステップＳＴ１６０７）。
【００８０】
なお、アクセスポイント装置１１０２からアクセスポイント制御装置１１０１へデータを渡す処理は、前述のアクセスポイント制御装置１１０１からアクセスポイント装置１１０２へデータを渡す処理と同じである。
【００８１】
このように、本発明の実施の形態２においては、本発明の実施の形態１と比較して、アクセスポイント設定メッセージのデータ量を削減することができる。
【産業上の利用可能性】
【００８２】
本発明は、通信プロトコルのデータタイプを何度も再定義することなく多くのパラメータの種別を自由に定義でき、かつ、ＳＮＭＰのデータ管理をそのまま利用することができ、また、開発価格を低減することができる効果を有し、アクセスポイント制御装置及びアクセスポイント制御方法に有用である。
【図面の簡単な説明】
【００８３】
【図１】本発明の実施の形態１に係るネットワークシステムの構成を示す図
【図２】本発明の実施の形態１に係るネットワークシステムの構成を示す他の図
【図３】本発明の実施の形態１に係るネットワークシステムにおいて用いられる設定メッセージのフレームフォーマットの１例を示す図
【図４】本発明の実施の形態１に係るアクセスポイント制御装置の構成を詳細に示すブロック図
【図５】本発明の実施の形態１に係るアクセスポイント制御装置で用いられる装置管理データの１例を示す図
【図６】本発明の実施の形態１に係るアクセスポイント装置の構成を詳細に示すブロック図
【図７】本発明の実施の形態１に係るアクセスポイント装置で用いられる装置管理データの１例を示す図
【図８】本発明の実施の形態１に係るネットワークシステムのアクセスポイント制御装置におけるアクセスポイント装置のＥＳＳＩＤを設定する場合の処理を示すフロー図
【図９】本発明の実施の形態１に係るネットワークシステムのアクセスポイント制御装置におけるアクセスポイント装置のカウンタ情報を設定する場合の処理を示すフロー図
【図１０】本発明の実施の形態１に係るネットワークシステムのアクセスポイント装置のカウンタ情報を設定する場合の処理を示すフロー図
【図１１】本発明の実施の形態１に係るネットワークシステムのアクセスポイント装置のＥＳＳＩＤを設定する場合の処理を示すフロー図
【図１２】本発明の実施の形態２に係るネットワークシステムの構成を示す図
【図１３】本発明の実施の形態２に係るネットワークシステムのアクセスポイント制御装置の構成を詳細に示すブロック図
【図１４】本発明の実施の形態２に係るネットワークシステムのアクセスポイント装置の構成を詳細に示すブロック図
【図１５】本発明の実施の形態２に係るネットワークシステムのアクセスポイント制御装置におけるアクセスポイント装置のＥＳＳＩＤを設定する場合の処理を示すフロー図
【図１６】本発明の実施の形態２に係るネットワークシステムのアクセスポイント装置のＥＳＳＩＤを設定する場合の処理を示すフロー図
【図１７】従来のネットワークシステムの１例の構成を示す図
【符号の説明】
【００８４】
１００、１１００  ネットワークシステム
１０１、１１０１  アクセスポイント制御装置
１０２、１０３、１１０２  アクセスポイント装置
１０４、１０５  通信端末装置
２００  ネットワーク管理装置
１０１１、１０２１  アクセスポイント制御判定部
１０１２、１０２２、１３０１、１４０１  アクセスポイント制御パケット作成部
１０１３、１０２３  パケット送信部
１０１４、１０２４  パケット受信部
１０１５、１０２５  アクセスポイント制御パケット抽出部
１０１６、１０２６、１３０２、１４０２  アクセスポイント制御パケット処理部
【図１】
2006025375.tif 000003
【図２】
2006025375.tif 000004
【図３】
2006025375.tif 000005
【図４】
2006025375.tif 000006
【図５】
2006025375.tif 000007
【図６】
2006025375.tif 000008
【図７】
2006025375.tif 000009
【図８】
2006025375.tif 000010
【図９】
2006025375.tif 000011
【図１０】
2006025375.tif 000012
【図１１】
2006025375.tif 000013
【図１２】
2006025375.tif 000014
【図１３】
2006025375.tif 000015
【図１４】
2006025375.tif 000016
【図１５】
2006025375.tif 000017
【図１６】
2006025375.tif 000018
【図１７】
2006025375.tif 000019